(57)【要約】      （修正有）【課題】密閉型の試料容器および開放型の試料容器に対して、共通に使用される試料サンプリング機構におけるサンプリング管の洗浄方法を提供する。【解決手段】サンプリング管１６を昇降自在に挿通するピアス針１２を備えた洗浄用部材１０を固定配置し、上部洗浄用部材１０の下方においてピアス針１２を挿通させて上下移動する下部洗浄用部材１４を配設する試料サンプリング機構を使用して、まず下部洗浄用部材１４を上部洗浄用部材１０のピアス針１２先端を囲繞する待機位置にセットすると共に、サンププリング管１６を下部洗浄用部材１４より上方位置に待機させることによって、密閉型の試料容器２０Ａによる試料のサンプリングとその後におけるサンプリング管１６の洗浄を行うように構成することができる。【選択図】図１
2005127895.tif 000002
【特許請求の範囲】
【請求項１】
サンプリング管を昇降自在に挿通するピアス針を備えた上部洗浄用部材を固定配置し、前記上部洗浄用部材の下方において前記ピアス針を挿通させて上下移動する下部洗浄用部材を配設してなる血液等の試料サンプリング機構において、
(1) 下部洗浄用部材を上部洗浄用部材のピアス針先端を囲繞する洗浄待機位置に設定すると共に、サンプリング管を下部洗浄用部材より上方位置に待機させる工程と、
(2) 下部洗浄用部材の下方に密閉型の試料容器をセットする工程と、
(3) 下部洗浄用部材の下部に試料容器を当接し、下部洗浄用部材を上昇させて上部洗浄用部材の下部に当接させると共に、ピアス針先端を試料容器のゴム栓に刺通する工程と、
(4) サンプリング管を下降させ、試料容器内のサンプリング位置まで挿入し、試料のサンプリングを行う工程と、
(5) 所定のサンプリング終了後にサンプリング管を上昇させると共に、下部洗浄用部材を洗浄待機位置まで下降する工程と、
(6) サンプリング管を上部洗浄用部材に対し洗浄待機位置まで上昇させ、下部洗浄用部材からピアス針の内部を介して上部洗浄用部材へ洗浄液を供給する洗浄工程と、
からなることを特徴とする血液等の試料サンプリング機構におけるサンプリング管の洗浄方法。
【請求項２】
サンプリング管を昇降自在に挿通するピアス針を備えた上部洗浄用部材を固定配置し、前記上部洗浄用部材の下方において前記ピアス針を挿通させて上下移動する下部洗浄用部材を配設してなる血液等の試料サンプリング機構において、
(1) 下部洗浄用部材を上部洗浄用部材のピアス針先端を囲繞する洗浄待機位置に固定すると共に、サンプリング管をサンプリング位置まで下降して待機させる工程と、
(2) サンプリング管に対し開放型の試料容器をセットする工程と、
(3) サンプリング管を試料容器内のサンプリング位置まで挿入し、試料のサンプリングを行う工程と、
(4) 所定のサンプリング終了後にサンプリング管を上部洗浄用部材に対し洗浄待機位置まで上昇させ、下部洗浄用部材からピアス針の内部を介して上部洗浄用部材へ洗浄液を供給する洗浄工程と、
からなることを特徴とする血液等の試料サンプリング機構におけるサンプリング管の洗浄方法。
【請求項３】
サンプリング管を昇降自在に挿通するピアス針を備えた上部洗浄用部材と、前記上部洗浄用部材の下方において前記ピアス針を挿通させた下部洗浄用部材とを、相対的に一方が上下移動可能となるように構成配置してなる血液等の試料サンプリング機構において、
試料容器の種類に応じて前記ピアス針の挿通動作を選択するように設定したことを特徴とする血液等の試料サンプリング機構におけるサンプリング管の洗浄方法。
【請求項４】
前記試料サンプリング機構として、固定された上部洗浄用部材と、前記上部洗浄用部材に対し上下移動可能な下部洗浄用部材とを備え、前記上部洗浄用部材は、サンプリング管を挿通する通孔と洗浄液排水孔とを有し、前記通孔の上部開口縁部には、前記サンプリング管を囲繞保持するようにＯリングを設け、前記通孔の下部開口縁部には、ピアス針が連通固定され、前記下部洗浄用部材は、前記ピアス針を挿通する通孔と洗浄液給水孔とを有し、前記通孔の上部開口縁部には前記ピアス針を囲繞保持するようにＯリングを設けた構成からなるものを使用することを特徴とする請求項１または２記載の血液等の試料サンプリング機構におけるサンプリング管の洗浄方法。
【請求項５】
前記試料サンプリング機構として、上部洗浄用部材と下部洗浄用部材とを相対的に一方が上下移動可能となるように構成配置し、前記上部洗浄用部材は、サンプリング管を挿通する通孔と洗浄液排水孔とを有し、前記通孔の上部開口縁部には、前記サンプリング管を囲繞保持するようにＯリングを設け、前記通孔の下部開口縁部には、ピアス針が連通固定され、前記下部洗浄用部材は、前記ピアス針を挿通する通孔と洗浄液給水孔とを有し、前記通孔の上部開口縁部には前記ピアス針を囲繞保持するようにＯリングを設けた構成からなるものを使用することを特徴とする請求項３記載の血液等の試料サンプリング機構におけるサンプリング管の洗浄方法。
【発明の詳細な説明】
【技術分野】
【０００１】
本発明は、血液検査装置等において、採血管等の試料容器により採取された血液等の試料をサンプリングすると共にサンプリング管を洗浄する方法に係り、特に密閉型の試料容器および開放型の試料容器を共通の試料サンプリング機構を使用して適正かつ円滑に行うことができるサンプリング管の洗浄方法に関するものである。
【背景技術】
【０００２】
今日、血液検査を行う装置の典型例として、自動血球計数装置が知られている。この自動血球計数装置は、例えば図１０に示すように、血液定量・希釈処理部Ａと、血球検出部Ｂと、計数処理部Ｃとから構成される。そして、このように構成される自動血球計数装置においては、採血管Ａ１からある一定料の抗凝固剤を含む血液がサンプリング管Ａ２を介して適宜希釈容器Ａ３、Ａ４にサンプリングされる。次いで、希釈容器Ａ３、Ａ４にサンプリングされた血液は、適当な量の希釈液や溶血剤Ａ５と共に反応チャンバや計数チャンバに移送され、血球検出部Ｂにおいて、赤血球／血小板Ｂ１、白血球Ｂ２、ヘモグロビン濃度Ｂ３が検出される。このようにして、血球検出部Ｂでそれぞれ検出された測定信号は、計数処理部Ｃでそれぞれ演算処理Ｃ１、Ｃ２、Ｃ３され、それらの測定結果を表示手段Ｃ４により出力表示するように構成されている。
【０００３】
しかるに、このように構成される従来の血球計数装置において、例えば採血管の血液を、吸引するサンプリング管を介して希釈検出器中に吸引サンプリングする場合、サンプリング管の外周部に試料血液が付着していると、この血液が希釈される血液に混入して、希釈倍率が変動することになる。従って、このような場合には、血球計数の測定結果に著しい測定誤差を生じるという問題がある。
【０００４】
このような観点から、本出願人は、先に、サンプリング管（吸引管）の外周部に付着した血液を、専用の洗浄液を使用することなく、確実に除去することができ、高い精度で血球の計数を安価に行うことのできる血球計数装置を開発し、特許を得た（特許文献１参照）。すなわち、前記特許文献１に記載の血球計数装置は、試料血液を吸引して、前記血液中の血球数を計数する計数用容器内に吐出する吸引管を具備した血球計数装置において、前記吸引管が挿通され、前記試料血液を吸引した後に前記吸引管の外周部に付着した血液を洗浄液によって洗浄除去する洗浄手段と、血球計数後に前記計数用容器内を洗浄した洗浄排液を前記吸引管用の洗浄液として前記洗浄手段に送液する送液手段を設けた構成からなるものである。
【０００５】
また、従来において、所要量の液体を吸引して、この液体を他の位置で吐出するように構成した自動分析装置におけるピペット装置に関し、ゴム栓がされたままの容器内からでも、ピペットを曲損させることなく、容易に液体を吸引することができ、しかも別途液面検出手段を配設する必要がない、構成簡易なピペット装置が提案されている（特許文献２参照）。すなわち、前記特許文献２に記載のピペット装置は、固定外筒体と、この固定外筒体内に収納された昇降動可能な内筒体とから構成し、前記内筒体と固定外筒体との間隙部には、洗浄水が供給されるようにした構成からなるものである。
【０００６】
さらに、従来において、採血管からの血液を自動的に採取できる試料採取装置として、ゴム栓にノズルを突き刺して試料容器（採血管）内部の試料（血液）を採取する際に、採取用ノズルが直接ゴム栓に触れるのを防止するようにした試料採取装置が提案されている（特許文献３参照）。すなわち、前記特許文献３に記載の試料採取装置は、ノズル部は内ノズルと外ノズルとで構成され、ゴム栓への穿刺時には、外ノズル内に内ノズルを収納した状態でその穿刺が行われ、穿刺終了後、外ノズルの先端開口から内ノズルの先端部を下降させて試料の採取を行い、試料採取後は洗浄槽を利用してノズル部の洗浄を行うようにした構成からなるものである。
【０００７】
【特許文献１】特公平７−１１９７５９号公報
【特許文献２】実公平４−８９８号公報
【特許文献３】特開平７−８３９３８号公報
【発明の開示】
【発明が解決しようとする課題】
【０００８】
しかるに、従来より血液検査や血液分析等に際し、血液採取を行うための採血管として、開放型と密閉型とが使用されてている。そこで、これらの採血管からサンプルの抜き取り（サンプリング）を行う場合、それぞれ異なるサンプリング機構が使用されている。
すなわち、密閉型の採血管からのサンプリングに際しては、先端を針状に形成したサンプリング管を備えたサンプリング機構を使用する必要がある。これに対し、開放型の採血管からのサンプリングに際して、前記サンプリング管を備えたサンプリング機構は、危険を伴うので、その使用が回避される。また、密閉型の採血管から精度良くサンプリングを行うためには、事前に採血管を大気開放することが必要であり、そのための機構が必要となる。従って、前記開放型と密閉型の採血管に対して、サンプリング機構を共通化することは困難であった。
【０００９】
また、一般的に、密閉型の採血管の場合は、自動化血液検査装置や血液分析装置の適用に際し、サンプリング機構と一体化させてサンプリングを行うように設定することができる。これに対し、開放型の採血管の場合は、サンプリングに際して手動操作が必要であるるため、サンプリング管を外部に露呈する必要がある。このことから、それぞれサンプリング終了後において、サンプリング管を洗浄する場合には、サンプリング機構の動作的相違から洗浄操作についても共通化することは困難であった。
【００１０】
そこで、本発明者等は、前記密閉型の採血管および開放型の採血管を共通のサンプリング機構を使用して、それぞれ適正かつ円滑なサンプリングを行うことができる方法および装置並びにサンプリング管の洗浄方法を得るため、種々検討並びに試作を重ねた結果、サンプリング管を昇降自在に挿通するピアス針を備えた上部洗浄用部材を固定配置し、前記上部洗浄用部材の下方において前記ピアス針を挿通させて上下移動する下部洗浄用部材を配設してなる血液等の試料サンプリング機構を使用すると共に、前記上下移動する下部洗浄用部材とサンプリング管の動作タイミングを適宜変更設定することにより、サンプリング管による試料のサンプリングとサンプリング管の洗浄とを、それぞれ適正かつ円滑に達成することができることを突き止めた。なお、上部洗浄用部材が上下移動可能で、下部洗浄用部材が固定された試料サンプリング機構でも、同様にサンプリング管による試料のサンプリングとサンプリング管の洗浄とが可能である。
【００１１】
すなわち、密閉型の試料容器に対しては、(1) 下部洗浄用部材を上部洗浄用部材のピアス針先端を囲繞する洗浄待機位置に設定すると共に、サンプリング管を下部洗浄用部材より上方位置に待機させ、(2) 下部洗浄用部材の下方に密閉型の試料容器をセットし、(3)下部洗浄用部材の下部に試料容器を当接し下部洗浄用部材を上昇させて上部洗浄用部材の下部に当接させると共に、ピアス針先端を試料容器のゴム栓に刺通し、(4) サンプリング管を下降させ、試料容器内のサンプリング位置まで挿入して試料のサンプリングを行い、(5) 所定のサンプリング終了後にサンプリング管を上昇させると共に、下部洗浄用部材を洗浄待機位置まで下降し、(6) サンプリング管を上部洗浄用部材に対し洗浄待機位置まで上昇させ、下部洗浄用部材からピアス針の内部を介して上部洗浄用部材へ洗浄液を供給して洗浄を行い、(7) 所定の洗浄終了後に前記試料容器を回収し、サンプリング管をさらに上昇させてサンプリングされた試料を分注するように設定することにより、密試料のサンプリングを適正かつ円滑に行うことができると共に、サンプリング管の洗浄を円滑に行うことができることを突き止めた。
【００１２】
また、開放型の試料容器に対しては、(1) 下部洗浄用部材を上部洗浄用部材のピアス針先端を囲繞する洗浄待機位置に固定すると共に、サンプリング管をサンプリング位置まで下降して待機させ、(2) サンプリング管に対し開放型の試料容器をセットし、(3) サンプリング管を試料容器内のサンプリング位置までに挿入して試料のサンプリングを行い、(4) 所定のサンプリング終了後にサンプリング管を上部洗浄用部材に対し洗浄待機位置まで上昇させ、下部洗浄用部材からピアス針の内部を介して上部洗浄用部材へ洗浄液を供給して洗浄を行い、(5) 所定の洗浄終了後に前記試料容器を回収し、サンプリング管をさらに上昇させてサンプリングされた試料を分注するように設定することにより、前記と同様にして、開放型の試料容器からの試料のサンプリングを適正かつ円滑に行うことができると共に、サンプリング管の洗浄も円滑に行うことができることを突き止めた。
【００１３】
従って、本発明の目的は、密閉型の試料容器および開放型の試料容器に対して、共通の試料サンプリング機構を使用して、それぞれサンプリング管による試料のサンプリングとその後におけるサンプリング管の洗浄とを、適正かつ円滑に行うことができる血液等の試料サンプリング機構におけるサンプリング管の洗浄方法を提供することにある。
【課題を解決するための手段】
【００１４】
前記の目的を達成するため、本発明に係る請求項１に記載の血液等の試料サンプリング機構におけるサンプリング管の洗浄方法は、サンプリング管を昇降自在に挿通するピアス針を備えた上部洗浄用部材を固定配置し、前記上部洗浄用部材の下方において前記ピアス針を挿通させて上下移動する下部洗浄用部材を配設してなる血液等の試料サンプリング機構において、
(1) 下部洗浄用部材を上部洗浄用部材のピアス針先端を囲繞する洗浄待機位置に設定すると共に、サンプリング管を下部洗浄用部材より上方位置に待機させる工程と、
(2) 下部洗浄用部材の下方に密閉型の試料容器をセットする工程と、
(3) 下部洗浄用部材の下部に試料容器を当接して、下部洗浄用部材を上昇させて上部洗浄用部材の下部に当接させると共に、ピアス針先端を試料容器のゴム栓に刺通する工程と、
(4) サンプリング管を下降させ、試料容器内のサンプリング位置まで挿入し、試料のサンプリングを行う工程と、
(5) 所定のサンプリング終了後にサンプリング管を上昇させると共に、下部洗浄用部材を洗浄待機位置まで下降する工程と、
(6) サンプリング管を上部洗浄用部材に対し洗浄待機位置まで上昇させ、下部洗浄用部材からピアス針の内部を介して上部洗浄用部材へ洗浄液を供給する洗浄工程と、
からなることを特徴とする。
【００１５】
本発明に係る請求項２に記載の血液等の試料サンプリング機構におけるサンプリング管の洗浄方法は、サンプリング管を昇降自在に挿通するピアス針を備えた上部洗浄用部材を固定配置し、前記上部洗浄用部材の下方において前記ピアス針を挿通させて上下移動する下部洗浄用部材を配設してなる血液等の試料サンプリング機構において、
(1) 下部洗浄用部材を上部洗浄用部材のピアス針先端を囲繞する洗浄待機位置に固定すると共に、サンプリング管をサンプリング位置まで下降して待機させる工程と、
(2) サンプリング管に対し開放型の試料容器をセットする工程と、
(3) サンプリング管を試料容器内のサンプリング位置まで挿入し、試料のサンプリングを行う工程と、
(4) 所定のサンプリング終了後にサンプリング管を上部洗浄用部材に対し洗浄待機位置まで上昇させ、下部洗浄用部材からピアス針の内部を介して上部洗浄用部材へ洗浄液を供給する洗浄工程と、
からなることを特徴とする。
【００１６】
本発明に係る請求項３に記載の血液等の試料サンプリング機構におけるサンプリング管の洗浄方法は、サンプリング管を昇降自在に挿通するピアス針を備えた上部洗浄用部材と、前記上部洗浄用部材の下方において前記ピアス針を挿通させた下部洗浄用部材とを、相対的に一方が上下移動可能となるように構成配置してなる血液等の試料サンプリング機構において、試料容器の種類に応じて前記ピアス針の挿通動作を選択するように設定したことを特徴とする。
【００１７】
本発明に係る請求項４に記載の血液等の試料サンプリング機構におけるサンプリング管の洗浄方法において、前記サンプリング機構は、固定された上部洗浄用部材と、前記上部洗浄用部材に対し上下移動可能な下部洗浄用部材とを備え、前記上部洗浄用部材は、サンプリング管を挿通する通孔と洗浄液排水孔とを有し、前記通孔の上部開口縁部には、前記サンプリング管を囲繞保持するようにＯリングを設け、前記通孔の下部開口縁部には、ピアス針が連通固定され、前記下部洗浄用部材は、前記ピアス針を挿通する通孔と洗浄液給水孔とを有し、前記通孔の上部開口縁部には前記ピアス針を囲繞保持するようにＯリングを設けた構成からなることを特徴とする。
【００１８】
本発明に係る請求項５に記載の血液等の試料サンプリング機構におけるサンプリング管の洗浄方法において、前記試料サンプリング機構は、上部洗浄用部材と下部洗浄用部材とを相対的に一方が上下移動可能となるように構成配置し、前記上部洗浄用部材は、サンプリング管を挿通する通孔と洗浄液排水孔とを有し、前記通孔の上部開口縁部には、前記サンプリング管を囲繞保持するようにＯリングを設け、前記通孔の下部開口縁部には、ピアス針が連通固定され、前記下部洗浄用部材は、前記ピアス針を挿通する通孔と洗浄液給水孔とを有し、前記通孔の上部開口縁部には前記ピアス針を囲繞保持するようにＯリングを設けた構成からなるものを使用することを特徴とする。
【発明の効果】
【００１９】
本発明の請求項１に記載の血液等の試料サンプリング機構におけるサンプリング管の洗浄方法によれば、サンプリング管を昇降自在に挿通するピアス針を備えた上部洗浄用部材を固定配置し、前記上部洗浄用部材の下方において前記ピアス針を挿通させて上下移動する下部洗浄用部材を配設してなる血液等の試料サンプリング機構を使用して、下部洗浄用部材を上部洗浄用部材のピアス針先端を囲繞する洗浄待機位置に固定すると共に、サンプリング管をサンプリング位置まで下降して待機させることによって、密閉型の試料容器を使用する場合における試料のサンプリングから、その後におけるサンプリング管の洗浄を円滑に達成することができる。
【００２０】
また、本発明の請求項２に記載の試料サンプリング機構におけるサンプリング管の洗浄方法によれば、前記密閉型の試料容器に適用した血液等の試料サンプリング機構を使用して、下部洗浄用部材を上部洗浄用部材のピアス針先端を囲繞する洗浄待機位置に固定すると共に、サンプリング管をサンプリング位置まで下降して待機させることによって、開放型の試料容器を使用する場合における試料のサンプリングから、その後におけるサンプリング管の洗浄を円滑に達成することができる。
【００２１】
さらに、本発明の請求項３に記載の試料サンプリング機構におけるサンプリング管の洗浄方法によれば、試料サンプリング機構の若干の設計変更によっても、密閉型の試料容器あるいは開放型の試料容器の種類に応じて適宜操作を選択することにより、試料のサンプリングから、その後におけるサンプリング管の洗浄を円滑に達成することができる。
【００２２】
そして、本発明の請求項４および５に記載の試料サンプリング機構におけるサンプリング管の洗浄方法によれば、前記密閉型の試料容器および開放型の試料容器に対して、それぞれ共通に適用することができる試料サンプリング機構を提供することができる。
【発明を実施するための最良の形態】
【００２３】
次に、本発明に係る血液等の試料サンプリング機構におけるサンプリング管の洗浄方法の実施例につき、添付図面を参照しながら以下詳細に説明する。
【実施例１】
【００２４】
図１の（ａ）〜（ｇ）は、本発明に係るサンプリング管の洗浄方法を実施する血液サンプリング機構の一実施例と共に、密閉型の採血管２０Ａを使用する場合におけるサンプリング管の血液サンプリングの開始から洗浄終了までの工程を示す概略構成説明図である。
【００２５】
まず、図１において、本実施例に使用する血液サンプリング機構は、固定された上部洗浄用部材１０と、前記上部洗浄用部材１０に対し上下移動可能な下部洗浄用部材１４とを備える。上部洗浄用部材１０は、サンプリング管１６を挿通する通孔１０ａと洗浄液排水孔１０ｂとを有し、前記通孔１０ａの上部開口縁部には、前記サンプリング管１６を囲繞保持するようにＯリング１１が設けられ、前記通孔１０ａの下部開口縁部には、ピアス針１２が連通固定されている。また、下部洗浄用部材１４は、前記ピアス針１２を挿通する通孔１４ａと洗浄液給水孔１４ｂとを有し、前記通孔１４ａの上部開口縁部には、前記ピアス針１２を囲繞保持するようにＯリング１５が設けられている〔図１の（ａ）参照〕。
【００２６】
次に、前記構成からなる血液サンプリング機構において、ゴム栓２１により密閉された密閉型の採血管２０Ａを対象とする場合における、サンプリング管１６による血液のサンプリング操作とサンプリング管１６の洗浄操作について、図３の（Ａ）の動作工程を示すフローチャート図を併せ参照しながら説明する。
【００２７】
図１の（ａ）において、まず下部洗浄用部材１４を、上部洗浄用部材１０のピアス針１２の先端をＯリング１５で囲繞する洗浄待機位置に設定する。この時、サンプリング管１６は、上部洗浄用部材１０より上方位置に待機させる（ＳＴＥＰ−１１）。
図１の（ｂ）において、下部洗浄用部材１４の下方に密閉型の採血管２０Ａをセットする（ＳＴＥＰ−１２）。
図１の（ｃ）において、下部洗浄用部材１４の下部に採血管２０Ａを当接して、下部洗浄用部材１４を上昇させて上部洗浄用部材１０の下部に当接させると共に、ピアス針１２の先端を採血管２０Ａのゴム栓２１に刺通する（ＳＴＥＰ−１３）。
図１の（ｄ）において、サンプリング管１６を下降させ、採血管２０Ａ内のサンプリング位置まで挿入し、血液のサンプリングを行う（ＳＴＥＰ−１４）。
図１の（ｅ）において、所定のサンプリング終了後にサンプリング管１６を上昇させると共に、下部洗浄用部材１４を洗浄待機位置まで下降する（ＳＴＥＰ−１５）。
図１の（ｆ）において、サンプリング管１６を上部洗浄用部材１０に対し洗浄待機位置まで上昇させ、下部洗浄用部材１４の洗浄液給水孔１４ｂから、ピアス針１２の内部を介して、上部洗浄用部材１０の洗浄液排水孔１０ｂへ、洗浄液を負圧条件下に供給して洗浄を行う（ＳＴＥＰ−１６）。この場合、サンプリング管１６の外周に付着した血液は、その上昇に際して、Ｏリング１１の作用により上部洗浄用部材１０の通孔１０ａおよびピアス針１２の内部に掻き集められ、またピアス針１２の外周に付着した血液は、下部洗浄用部材１４の下降に際して、Ｏリング１５の作用により下部洗浄用部材１４の通孔１４ａの内部に掻き集められて、前記洗浄液の流通により、円滑に外部へ排水洗浄される。
図１の（ｇ）において、所定の洗浄終了後に前記採血管２０Ａを回収し、サンプリング管１６をさらに上昇させて、サンプリングされた血液を分注する（ＳＴＥＰ−１７）。
このようにして、前記図１の（ａ）に示す状態となり、次の採血管２０Ａのサンプリング操作に対する待機状態となる。
【実施例２】
【００２８】
図２の（ａ）〜（ｅ）は、本発明に係るサンプリング管の洗浄方法を実施する血液サンプリング機構と共に、開放型の採血管２０Ｂを使用する場合におけるサンプリング管の血液サンプリングの開始から洗浄終了までの工程を示す概略構成説明図である。なお、本実施例において使用する血液サンプリング機構は、前述した実施例１において使用する血液サンプリング機構〔図１の（ａ）参照〕を適用して、実施することができる。
【００２９】
そこで、前記構成からなる血液サンプリング機構において、開放型の採血管２０Ｂを対象とする場合における、サンプリング管１６による血液のサンプリング操作とサンプリング管１６の洗浄操作について、図３の（Ｂ）の動作工程を示すフローチャート図を併せ参照しながら説明する。
【００３０】
図２の（ａ）において、まず下部洗浄用部材１４を、上部洗浄用部材１０のピアス針１２の先端をＯリング１５で囲繞する洗浄待機位置に固定する。この時、サンプリング管１６をサンプリング位置まで下降して待機させる（ＳＴＥＰ−２１）。
図２の（ｂ）において、サンプリング管１６に対し開放型の採血管２０Ｂをセットする（ＳＴＥＰ−２２）。
図２の（ｃ）において、サンプリング管１６を採血管２０Ｂ内のサンプリング位置まで挿入し、試料のサンプリングを行う（ＳＴＥＰ−２３）。
図２の（ｄ）において、所定のサンプリング終了後にサンプリング管１６を上部洗浄用部材１０に対し洗浄待機位置まで上昇させ、下部洗浄用部材１４の洗浄液給水孔１４ｂから、ピアス針１２の内部を介して、上部洗浄用部材１０の洗浄液排水孔１０ｂへ、洗浄液を負圧条件下に供給して洗浄を行う（ＳＴＥＰ−２４）。この場合、サンプリング管１６の外周に付着した血液は、その上昇に際して、Ｏリング１１の作用により上部洗浄用部材１０の通孔１０ａおよびピアス針１２の内部に掻き集められ、前記洗浄液の流通により、円滑に外部へ排水洗浄される。
図２の（ｅ）において、所定の洗浄終了後に前記採血管２０Ｂを回収し、サンプリング管１６をさらに上昇させてサンプリングされた試料を分注する（ＳＴＥＰ−２５）。
このようにして、前記図２の（ａ）に示す状態となり、次の採血管２０Ｂのサンプリング操作に対する待機状態となる。
【００３１】
次に、本発明に係る血液等の試料のサンプリングおよび洗浄を行うことができる試料サンプリング装置の実施例につき、添付図面を参照しながら以下詳細に説明する。
【実施例３】
【００３２】
図４は、本発明に係る血液サンプリング装置の一実施例を示す概略構成図である。すなわち、本実施例における血液サンプリング装置は、図４に示すように、上部洗浄用部材１０と、前記上部洗浄用部材１０に対し上下移動可能な下部洗浄用部材１４とを備える。上部洗浄用部材１０は、サンプリング管１６を挿通する通孔１０ａと洗浄液排水孔１０ｂとを有し、前記通孔１０ａの上部開口縁部には、前記サンプリング管１６を囲繞保持するようにＯリング１１が設けられ、前記通孔１０ａの下部開口縁部には、ピアス針１２が連通固定されている。また、下部洗浄用部材１４は、前記ピアス針１２を挿通する通孔１４ａと洗浄液給水孔１４ｂとを有し、前記通孔１４ａの上部開口縁部には、前記ピアス針１２を囲繞保持するようにＯリング１５が設けられている。以上の構成は、前述した実施例１および２において使用する図１および図２に示す血液サンプリング機構と同様である。
【００３３】
しかるに、本実施例の血液サンプリング装置においては、図４に示すように、上部洗浄用部材１０の一端部に、支持アーム３０が設けられ、この支持アーム３０は所定位置に固定配置された駆動モータ３１に結合されて回転駆動する送りねじ３２の一端に枢着支承されている。前記送りねじ３２には、密閉型の採血管２０Ａを収納保持するためのホルダ４０をヒンジ４１を介して支持するホルダ支持アーム４２の一部が螺合装着される。すなわち、前記ホルダ４０は、送りねじ３２の作用により上下移動するように構成されている。なお、前記ホルダ４０には、サンプリング管１６を挿通するための挿通孔４０ａが設けられている。また、下部洗浄用部材１４の一端部に、支持アーム３４が設けられ、この支持アーム３４は前記上部洗浄用部材１０の支持アーム３０に一端部を結合固定したガイド軸３６に、前記ホルダ支持アーム４２と共に挿通する。そして、ガイド軸３６の前記支持アーム３０と支持アーム３４との間に、圧縮コイルばねからなる復帰ばね３５を装着する。さらに、前記ホルダ支持アーム４２に対し下方に延在するホルダ下部支持プレート４４に、後述する開放型の採血管２０Ｂを使用する場合に操作する始動スイッチ４６を設ける。なお、参照符号５０は、装置本体ケースを示し、ホルダ４０が下降位置にある場合に、前記始動スイッチ４６を装置本体の内部に位置するように設定されている。
【００３４】
このように構成した本実施例の血液サンプリング装置は、後述する図５に示す実施例４のように、密閉型の採血管２０Ａを使用する場合における、サンプリング管１６による血液のサンプリング操作およびサンプリング管１６の洗浄操作を、適正かつ円滑に行うことができる。また、本実施例の血液サンプリング装置は、図７に示すように、ホルダ４０の設定を行うと共に、サンプリング管１６の操作を変更することにより、後述する図８に示す実施例５のように、開放型の採血管２０Ｂを使用する場合における、サンプリング管１６による血液のサンプリング操作およびサンプリング管１６の洗浄操作を、適正かつ円滑に行うことができる。
【実施例４】
【００３５】
前記構成からなる血液サンプリング装置を使用して、密閉型の採血管２０Ａを対象とする場合における、サンプリング管１６による血液のサンプリング操作とサンプリング管１６の洗浄操作について、図５の（ａ）〜（ｇ）に示す概略構成と共に、図６の動作工程を示すフローチャート図を併せ参照しながら説明する。
【００３６】
図５の（ａ）において、まず下部洗浄用部材１４を、上部洗浄用部材１０のピアス針１２の先端をＯリング１５で囲繞する洗浄待機位置に設定する。この時、サンプリング管１６は、上部洗浄用部材１０より上方位置に待機させる。そして、ホルダ４０を開放状態にする（ＳＴＥＰ−３１）。
図５の（ｂ）において、ホルダ４０に密閉型の採血管２０Ａをセットした後、ホルダ４０を閉じる（ＳＴＥＰ−３２）。
図５の（ｃ）において、駆動モータ３１を回転駆動して送りねじ３２の作用によりホルダ４０を上昇させ、下部洗浄用部材１４の下部に採血管２０Ａを当接し、さらに下部洗浄用部材１４を復帰ばね３５の弾力に抗して上昇させて上部洗浄用部材１０の下部に当接させると共に、ピアス針１２の先端を採血管２０Ａのゴム栓２１に刺通する（ＳＴＥＰ−３３）。
図５の（ｄ）において、サンプリング管１６を下降させて採血管２０Ａ内のサンプリング位置まで挿入し、血液のサンプリングを行う（ＳＴＥＰ−３４）。
図５の（ｅ）において、所定のサンプリング終了後にサンプリング管１６を上昇させると共に、駆動モータ３１を回転駆動して送りねじ３２の作用によりホルダを下降させると共に、復帰ばね３５の弾力により下部洗浄用部材１４を洗浄待機位置まで下降させる（ＳＴＥＰ−３５）。
図５の（ｆ）において、サンプリング管１６を上部洗浄用部材１０に対し洗浄待機位置まで上昇させ、下部洗浄用部材１４の洗浄液給水孔１４ｂから、ピアス針１２の内部を介して、上部洗浄用部材１０の洗浄液排水孔１０ｂへ、洗浄液を負圧条件下に供給して洗浄を行う（ＳＴＥＰ−３６）。この場合、サンプリング管１６の外周に付着した血液は、その上昇に際して、Ｏリング１１の作用により上部洗浄用部材１０の通孔１０ａおよびピアス針１２の内部に掻き集められ、またピアス針１２の外周に付着した血液は、下部洗浄用部材１４の下降に際して、Ｏリング１５の作用により下部洗浄用部材１４の通孔１４ａの内部に掻き集められて、前記洗浄液の流通により、円滑に外部へ排水洗浄される。
図５の（ｇ）において、所定の洗浄終了後に前記サンプリング管１６をさらに上昇させてサンプリングされた血液を分注すると共に、駆動モータ３１を回転駆動して送りねじ３２の作用によりホルダをさらに下降させ、採血管２０Ａを収納保持するホルダ４０を開放する（ＳＴＥＰ−３７）。
このようにして、前記図５の（ａ）に示す状態となり、次の採血管２０Ａのサンプリング操作に対する待機状態となる。
【実施例５】
【００３７】
また、前記構成からなる血液サンプリング装置を使用して、開放型の採血管２０Ｂを対象とする場合における、サンプリング管１６による血液のサンプリング操作とサンプリング管１６の洗浄操作について、図８の（ａ）〜（ｅ）に示す概略構成と共に、図９の動作工程を示すフローチャート図を併せ参照しながら説明する。
【００３８】
図８の（ａ）において、まず下部洗浄用部材１４を、上部洗浄用部材１０のピアス針１２の先端をＯリング１５で囲繞する洗浄待機位置に固定する。この時、駆動モータ３１が回転駆動して送りねじ３２の作用によりホルダ４０を下部洗浄用部材１４の下部に位置固定し、サンプリング管１６をサンプリング位置まで下降して待機させる（ＳＴＥＰ−４１）。
図８の（ｂ）において、サンプリング管１６に対し開放型の採血管２０Ｂをセットし、採血管２０Ｂ内にサンプリング管１６を挿入する（ＳＴＥＰ−４２）。
図８の（ｃ）において、サンプリング管１６を採血管２０Ｂ内のサンプリング位置まで挿入し、ホルダ４０の下部支持プレート４４に設けた始動スイッチ４６を操作して血液のサンプリングを行う（ＳＴＥＰ−４３）。
図８の（ｄ）において、所定のサンプリング終了後にサンプリング管１６を上部洗浄用部材１０に対し洗浄待機位置まで上昇させ、下部洗浄用部材１４の洗浄液給水孔１４ｂからピアス針１２の内部を介して、上部洗浄用部材１０の洗浄液排水孔１０ｂへ、洗浄液を負圧条件下に供給して洗浄を行う（ＳＴＥＰ−４４）。この場合、サンプリング管１６の外周に付着した血液は、その上昇に際して、Ｏリング１１の作用により上部洗浄用部材１０の通孔１０ａおよびピアス針１２の内部に掻き集められ、前記洗浄液の流通により、円滑に外部へ排水洗浄される。
図８の（ｅ）において、所定の洗浄終了後にサンプリング管１６をさらに上昇させてサンプリングされた試料を分注する（ＳＴＥＰ−４５）。
このようにして、前記図８の（ａ）に示す状態となり、次の採血管２０Ｂのサンプリング操作に対する待機状態となる。
【００３９】
以上、本発明の好適な実施例について説明したが、本発明は前述した実施例の血液サンプリング機構におけるサンプリング管の洗浄方法ないし血液サンプリング装置に限定されることなく、例えば血液サンプリング機構において上部洗浄用部材を上下移動可能とし、下部洗浄用部材を固定した構成とするによっても、サンプリング管による試料のサンプリングとサンプリング管の洗浄とが可能であり、しかも血液以外の各種試料のサンプリング管の洗浄方法ないしサンプリング装置としても有効に適用することができるばかりでなく、その他本発明の精神を逸脱しない範囲内において、多くの設計変更を行うことができる。
【図面の簡単な説明】
【００４０】
【図１】本発明に係る血液等の試料サンプリング機構におけるサンプリング管の洗浄方法の一実施例であって、（ａ）〜（ｇ）は密閉型の採血管を使用する場合におけるサンプリング管のサンプリングの開始から洗浄終了までの工程を示すそれぞれ示す概略構成説明図である。
【図２】本発明に係る血液等の試料サンプリング機構におけるサンプリング管の洗浄方法の別の実施例であって、（ａ）〜（ｅ）は開放型の採血管を使用する場合におけるサンプリング管のサンプリングの開始から洗浄終了までの工程をそれぞれ示す概略構成説明図である。
【図３】本発明に係る血液等の試料サンプリング機構におけるサンプリング管の洗浄方法の動作工程であって、（Ａ）は図１に示す動作工程を示すフローチャート図、（Ｂ）は図２に示す動作工程を示すフローチャート図である。
【図４】本発明に係る血液等の試料サンプリング装置の一実施例を示す概略構成図である。
【図５】（ａ）〜（ｇ）は、図４に示す血液等の試料サンプリング装置を使用して、密閉型の採血管から血液のサンプリングを行う場合のサンプリング開始から終了までの工程を示す説明図である。
【図６】図５に示す本発明に係る血液等の試料サンプリング装置におけるサンプリング方法の動作工程を示すフローチャート図である。
【図７】図４に示す本発明に係る血液等の試料サンプリング装置により開放型の採血管から血液のサンプリングを行う場合の試料サンプリング装置の設定状態を示す概略構成図である。
【図８】（ａ）〜（ｅ）は、図７に示す血液等の試料サンプリング装置の設定状態において、開放型の採血管から血液のサンプリングを行う場合のサンプリング開始から終了までの工程を示す説明図である。
【図９】図８に示す本発明に係る血液等の試料サンプリング装置におけるサンプリング方法の動作工程を示すフローチャート図である。
【図１０】自動血球計数装置のシステム構成を示す概略ブロック結線図である。
【符号の説明】
【００４１】
１０  上部洗浄用部材
１０ａ  通孔
１０ｂ  洗浄液排水孔
１１  Ｏリング
１２  ピアス針
１４  下部洗浄用部材
１４ａ  通孔
１４ｂ  洗浄液給水孔
１５  Ｏリング
１６  サンプリング管
２０Ａ  密閉型の採血管
２０Ｂ  開放型の採血管
３０  支持アーム
３１  駆動モータ
３２  送りねじ
３４  支持アーム
３５  復帰ばね
３６  ガイド軸
４０  ホルダ
４０ａ  サンプリング管の挿通孔
４１  ヒンジ
４２  ホルダ支持アーム
４４  ホルダ下部プレート
４６  始動スイッチ
５０  装置本体ケース
【図１】
2005127895.tif 000003
【図２】
2005127895.tif 000004
【図３】
2005127895.tif 000005
【図４】
2005127895.tif 000006
【図５】
2005127895.tif 000007
【図６】
2005127895.tif 000008
【図７】
2005127895.tif 000009
【図８】
2005127895.tif 000010
【図９】
2005127895.tif 000011
【図１０】
2005127895.tif 000012